(57)【特許請求の範囲】
【請求項１】
非接触券処理装置の本体に設けられているアンテナの交信範囲に非接触券がかざされたときに、その非接触券処理装置の本体とその非接触券との間でデータ授受を行うデータ授受手段と、
前記非接触券処理装置の本体が前記非接触券から得た金額データに基づいて入出場等に伴う所定の減額処理を行ったときに、その処理に係る１件明細データを作成する作成手段と、
作成された１件明細データをカードを管理する中央装置に送出する送出手段と、
前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときは減額処理を行わずにその新たなデータ授受に係る非接触券の使用を有効と判定する判定手段と、
前記中央装置がカードメモリ内の書込識別情報が同じ１件明細データを複数個受信したときに、その受信したいずれか１の１件明細データを除いて廃棄処理する廃棄手段と、
からなることを特徴とする非接触券処理装置。
【請求項２】
非接触券処理装置の本体に設けられているアンテナの交信範囲に非接触券がかざされたときに、その非接触券処理装置の本体とその非接触券との間でデータ授受を行うデータ授受手段と、
前記非接触券処理装置の本体が前記非接触券から得た金額データに基づいて入出場等に伴う所定の減額処理を行ったときに、その処理に係る１件明細データを作成する作成手段と、
作成された１件明細データをカードを管理する中央装置に送出する送出手段と、
前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときはその非接触券の新たな読取データを前回読取時のデータに置換えたうえ、有効性判定及び減額処理を行う処理手段と、
前記中央装置がカードメモリ内の書込識別情報が同じ１件明細データを複数個受信したときに、その受信したいずれか１の１件明細データを除いて廃棄処理する廃棄手段と、
からなることを特徴とする非接触券処理装置。
【請求項３】
書込みを終了した旨の書込終了信号を受信しないとき、記憶するカードＩＤ及び書込識別情報を複数個記憶し、複数枚の処理未了券を処理可能としたことを特徴とする請求項１又は２に記載の非接触券処理装置。
【発明の詳細な説明】
【０００１】
【発明の属する技術分野】
本発明は非接触券処理装置に係り、特に、非接触券と非接触券処理装置の本体との間の交信が途中で途絶えて処理未了が発生したときに、２度引き等の不都合を発生させることなく効率よく処理することができるようにしたものに関する。
【０００２】
【従来の技術】
近年、利用者（旅客）の利便向上を図るために、定期券を定期券入れから出し入れすることなく、自動改札機の本体に設けられているアンテナに無線通信機能を備えたＩＣカードからなる非接触券をかざして入出場（入場又は出場を意味している。）のできる非接触式自動改札機が提案されている。
【０００３】
また、非接触券は、磁気券からなる従来の定期券に比べて記憶容量が格段に大きいので、非接触券の中に定期券データの他に金額データを持たせて、その金額データを用いて直接入出場処理を行ったり、あるいは、駅売店等の所定の場所に設けられている、非接触券と非接触で交信することのできる非接触式決済機で購入商品の代金決済を行えるようにすることが考えられている。なお、本発明の金額データの中には、銀行引落としのクレジットデータも含まれている。
【０００４】
上述のように、非接触券（カード）の金額データを用いて入出場や商品購入等の所定の処理が行われたときは、利用者の要求に応じて、あるいは、定期的に非接触券を用いた一つの処理毎の内訳の内容、つまり、１件明細を印字や表示画面に表示して知らせることが必要となる。このため、非接触式自動改札機や非接触式決済機等の非接触券処理装置をカード発行事業者のホストコンピュータからなる中央装置に接続し、その中央装置を用いてカードを管理し、その中央装置を用いて１件明細を集中的に管理できるようにすることが考えられている。
【０００５】
【発明が解決しようとする課題】
ところで、非接触券は、利用者が非接触券処理装置の本体に設けられているアンテナにかざしてデータ授受を行う関係上、交信状態が不安定になりやすく、データ授受が途中で途絶えて処理未了になりやすい欠点がある。このように、データ授受が不調に終わった後、非接触券がアンテナに再度かざされてデータ授受が再開されると、金額の２度引きや、入出場が正常な対とならないことにより、つまり、入場→入場、又は、出場→出場が行われることにより、入出場が拒否されるような不都合が発生してしまう。
【０００６】
非接触式自動改札機では、このような場合、利用者が改札通路内で同じＩＤのカードを再度かざせば、処理を完了させる仕組みを備えているが、利用者が一旦改札通路外に退去した場合は上述の問題が発生してしまう。
【０００７】
図７の伝送制御手順を用いてさらに説明すると、非接触券処理機の本体が非接触式自動改札機の本体の場合、アンテナの交信範囲に非接触券がかざされると、非接触式自動改札機の本体からのデータ要求に対して非接触券からカードＩＤや金額データ等の所定のカードデータが非接触式自動改札機の本体に取込まれる。そして、その取込まれたカードデータは、非接触式自動改札機の本体の制御器の入出場の演算処理に用いられる。
【０００８】
入出場の演算処理により新たな入出場データが生成され、また、減額処理により新たな残額データが発生すると、これらは、非接触券に送出されて書込まれる。そして、その新たなデータの書込みが終了したことが非接触式自動改札機の本体が受信すると、一連の入出場処理が正常に終了したと判定される。しかし、図７に鎖線で示されるように、書込終了データが何らかの理由により非接触式自動改札機の本体で受信できず処理未了となったときは、入出場が拒否され、非接触券の再かざしが案内される。
【０００９】
非接触券の再かざしが行われると、再度、上述の入出場処理が開始されるので、１件明細が２度生成されることにより金額の２度引きや、入出場が正常な対とならないことによる入出場拒否が発生してしまう。
【００１０】
そこで、本発明は、上述のように、データ授受の不調により処理未了となったときに、非接触券の再かざしが行われても、２度引きを防止し、１件明細を的確に得ることのできる非接触券処理装置を提供することを目的としている。
【００１１】
【課題を解決するための手段】
本発明の請求項１に係る非接触券処理装置は、上記目的を達成するために、非接触券処理装置の本体に設けられているアンテナの交信範囲に非接触券がかざされたときに、その非接触券処理装置の本体とその非接触券との間でデータ授受を行うデータ授受手段と、前記非接触券処理装置の本体が前記非接触券から得た金額データに基づいて入出場等に伴う所定の減額処理を行ったときに、その処理に係る１件明細データを作成する作成手段と、作成された１件明細データをカードを管理する中央装置に送出する送出手段と、前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときは減額処理を行わずにその新たなデータ授受に係る非接触券の使用を有効と判定する判定手段と、前記中央装置がカードメモリ内の書込識別情報が同じ１件明細データを複数個受信したときに、その受信したいずれか１の１件明細データを除いて廃棄処理する廃棄手段とからなることを特徴としている。
【００１２】
本発明の請求項２に係る非接触券処理装置は、上記目的を達成するために、非接触券処理装置の本体に設けられているアンテナの交信範囲に非接触券がかざされたときに、その非接触券処理装置の本体とその非接触券との間でデータ授受を行うデータ授受手段と、前記非接触券処理装置の本体が前記非接触券から得た金額データに基づいて入出場等に伴う所定の減額処理を行ったときに、その処理に係る１件明細データを作成する作成手段と、作成された１件明細データをカードを管理する中央装置に送出する送出手段と、前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときはその非接触券の新たな読取データを前回読取時のデータに置換えたうえ、有効性判定及び減額処理を行う処理手段と、前記中央装置がカードメモリ内の書込識別情報が同じ１件明細データを複数個受信したときに、その受信したいずれか１の１件明細データを除いて廃棄処理する廃棄手段とからなることを特徴としている。
また、本発明の請求項３に係る非接触券処理装置は、書込みを終了した旨の書込終了信号を受信しないとき、記憶するカードＩＤ及び書込識別情報を複数個記憶し、複数枚の処理未了券を処理可能としたことを特徴としている。
【００１３】
【発明の実施の形態】
以下、本発明の実施の形態を図面に基づいて説明する。図１は、非接触券処理装置を非接触式自動改札機としたときの斜視図である。この非接触式自動改札機の本体（以下、「本体」という。）Ｇの入口側の筐体Ｈの上面には、非接触券Ｃと交信するためのアンテナａが設けられている。
【００１４】
本体Ｇの筐体Ｈの改札通路Ｐの入口側には、本体Ｇの使用状態、つまり改札通路Ｐを通過できるか否かを利用者に表示するための表示部１が設けられている。また、図中、Ｓ，Ｓ…は、改札通路Ｐへの利用者の進入又は改札通路Ｐからの退出、あるいは通過を検知するための光電式の人間検知器であり、筐体Ｈの側面及びセンサ取付アーム２に取付けられている。また、筐体Ｈの側面には、利用者に対して音声により所定の案内をアナウンスするためのスピーカ３が取付けられているとともに、筐体Ｈの上面の出口側には、利用者に対して文字により所定の案内を行う表示画面４が取付けられている。
【００１５】
図中、５は、本体Ｇの動作を司どる制御器であり、マイクロコンピュータを中心に構成されている。そして、この制御器５には、非接触券Ｃとの間でデータの授受を行うためのトランスミッタ（リーダライタ）Ｔが接続されている。また、この制御器５は、本体Ｇの設置駅に設置されている他の本体あるいは自動券売機等の駅務機器を一括管理する駅制御装置（駅装置）ｂ及び通信回線Ｌを介して本社に設けられているホストコンピュータからなる非接触券（カード）を管理する中央装置Ｈに接続されている。
【００１６】
トランスミッタＴは、周知の非接触式自動改札機と同じく、アンテナａを介して非接触券Ｃから定期券データや金額データ等の所定のカードデータを受信するとともに、本体Ｇから非接触券Ｃに残額や入出場情報等の所定のデータを送信できる機能を有している。
【００１７】
図２は、電気的構成を示すブロック図であって、本体Ｇに設けられている制御器５側から説明すると、この制御器５の制御部６は、メモリ７に記憶されているシステムプログラム及びワーキングデータを用いて演算処理を行って、本体Ｇを統括的に制御できるように構成されている。そして、この制御部６には、図示しないＩ／Ｏユニットを介してドアＤ1 ，Ｄ2 を駆動制御するドア駆動ユニット８と、表示画面４の表示内容を駆動制御する表示画面駆動ユニット９とが接続されている。また、この制御部６には、通信制御部６ａを介して駅制御装置ｂが接続されているとともに、その駅制御装置ｂは、通信回線Ｌを介して本社の中央装置Ｈに接続されている。駅制御装置ｂには、図示しないが本体Ｇ以外に当駅に設置されている他の本体や自動券売機等の他の駅務機器も接続されている。なお、この制御部６には、Ｉ／Ｏユニットを介してスピーカ３の音声を駆動制御する音声駆動ユニット、及び人間検知器Ｓの検知信号を入力するためのセンサアンプ等が接続されているが、ここでは省略されている。
【００１８】
図２中、Ｔはトランスミッタであって、非接触券Ｃと交信を行うためのアンテナａが接続されている。このアンテナａは、非接触券Ｃとデータ授受を行うためのアンテナａ1 と、非接触券Ｃに電力を供給するためのアンテナａ2 とを有している。
【００１９】
非接触券Ｃは、無線通信機能を有する通常のＩＣカードと同様に、アンテナ１０と、通信制御部１１と、ＣＰＵ１２と、メモリ１３と、本体Ｇからの電力波をアンテナ１４を介して受信し、非接触券Ｃの駆動電力を生成する電力生成回路１５とを有している。メモリ１３には、ＣＰＵ１２の演算処理用のシステムプログラム以外に、非接触券ＣのカードＩＤ（識別情報）、金額データ、定期券データ、クレジットカードデータ等の所定のカードデータが記録されている。
【００２０】
次の図３のフローチャートを用いて制御動作について説明する。今、本体Ｇのアンテナの交信範囲内に非接触券Ｃがかざされて、本体Ｇと非接触券Ｃとの間でデータ授受が行われたとする（ステップ１００肯定。以下、ステップを「Ｓ」とする。）。また、その非接触券Ｃを所持している利用者は、その非接触券Ｃの定期券の乗車区間外で、すなわち、その非接触券Ｃに含まれている金額データを用いて入出場しようとしているものとする（Ｓ１０２肯定）。
【００２１】
本体Ｇの制御部（ＣＰＵ）６は、非接触券Ｃから得られた金額データを用いて所定の入出場処理を行い、具体的には、入場時においては、初乗運賃を減額処理して新たな残額を算出し、また、出場時においては、乗車料金から初乗運賃を減算した精算料金を減額処理して新たな残額の算出が行われる。そして、その新たな残額は、入出場駅や入出場日時等の入出場データと対応させた１件明細データを作成してメモリ７に記憶される（Ｓ１０４）。なお、この記憶される内容は、上述の１件明細データの他に、非接触券ＣのカードＩＤ、後述のＳ１０８における非接触券Ｃからのデータ書込信号の受信の有無、及び残額コマンドに含まれる残額情報及び書込識別情報が含まれる。また、１件明細データは、生成される毎に通信制御部６ａ、駅制御装置ｂ及び通信回線Ｌを介して中央装置（ホストコンピュータ）Ｈに送出され、その中央装置Ｈの図示しないメモリに記憶される。そして、その記憶されたデータは、必要に応じて出力されて利用に供される。なお、上記書込識別情報は、カード内のメモリが書込コマンドにより書換えられたか否かを識別するための情報であり、日付・時刻あるいは固有の数列、例えば、書込の都度、カード内記憶値を＋１するなどを金額とともに記録するものである。
【００２２】
本体Ｇで生成された上述の新たな残額データは、非接触券Ｃに送出されて非接触券Ｃのメモリ１３に書込まれる（Ｓ１０６）。そして、その書込みが行われたことを示す信号が本体Ｇに受信されると（Ｓ１０８肯定）、非接触券Ｃを用いた一連の入出場処理が終了となる。
【００２３】
なお、図３のフローチャートでは省略されているが、上述の減額処理の結果、金額が不足する場合は、ドアＤ1 が閉じられて入出場が拒否されるとともに、上述の１件明細データの作成は行われない。
【００２４】
ところが、何らかの理由により、本体Ｇが非接触券Ｃから書込終了の信号を受信できず、処理が未処理となる場合がある（Ｓ１０８否定）。この場合、入出場が禁止されるとともに、表示画面４及びスピーカ３を介して非接触券Ｃの再かざしが案内される（フローチャートでは省略）。非接触券Ｃの再かざしが所定時間（例えば５分）以内に行われないときは、すなわち、タイマで設定された時間内に行われないときは、その非接触券Ｃの利用者は、入出場を断念したとみなされて本体Ｇはリセットされ、次客用とされる（Ｓ１１０、Ｓ１１２肯定、Ｓ１１４）。
【００２５】
また、上述の所定時間以内に他の非接触券Ｃがアンテナにかざされると、すなわち、本体Ｇが新たなカードＩＤを受信すると、本体Ｇは、後述する再処理を行うことなく、その新たな非接触券の処理が開始される（Ｓ１１２否定、Ｓ１１６肯定、Ｓ１１８否定、Ｓ１１１）。
【００２６】
さて、上述の所定時間以内に非接触券Ｃの再かざしが行われると、再びデータ授受が行われる。そして、本体Ｇは、非接触券Ｃから得られたデータが本体Ｇのメモリ７に記憶されている処理未了（書込信号の受信無し）に係るデータと一致したとき、すなわち、両カードＩＤ及び書込識別情報が一致したときは（Ｓ１１８肯定）、再かざしの非接触券Ｃと処理未了の非接触券Ｃとは同一物、かつ、書込終了と判定して、再度の減額処理を行わずに終了判定を行うこととなる（Ｓ１２０）。したがって、利用者は改札通路Ｐを通過して入出場することが可能となる。
【００２７】
次に、非接触券Ｃを所持している利用者が、その非接触券Ｃの定期券の乗車区間内で、すなわち、その非接触券Ｃに含まれている定期券データを用いて入出場しようとしているときについて説明する（Ｓ１０２否定）。
【００２８】
本体Ｇの制御部（ＣＰＵ）６では、非接触券Ｃから得られた定期券データを用いて所定の入出場処理が行われる。そして、その新たな入出場データと対応させて非接触券ＣのカードＩＤがメモリ７に記憶される（Ｓ１２２）。
【００２９】
本体Ｇで生成された上述の新たな入出場データは、非接触券Ｃに送出されて非接触券Ｃのメモリ１３に書込まれる。そして、その書込みが行われたことを示す信号が本体Ｇに受信されると（Ｓ１２４肯定）、非接触券Ｃを用いた一連の入出場処理が終了となる。なお、図３のフローチャートでは省略されているが、上述の入出場処理の結果、有効期間経過等の場合は、入出場が拒否される。
【００３０】
ところが、何らかの理由により、本体Ｇが非接触券Ｃから書込終了の信号を受信できず、処理が未処理となる場合がある（Ｓ１２４否定）。この場合、入出場が禁止されるとともに、表示画面４及びスピーカ３を介して非接触券Ｃの再かざしが案内される（フローチャートでは省略）。非接触券Ｃの再かざしが所定時間（例えば５分）以内に行われないときは、その非接触券Ｃの利用者は、入出場を断念したとみなされて本体Ｇはリセットされ、次客用とされる（Ｓ１２５、Ｓ１２６肯定、Ｓ１２８）。
【００３１】
また、上述の所定時間以内に他の非接触券Ｃがアンテナにかざされると（Ｓ１２６否定、Ｓ１３０肯定、Ｓ１３２否定）、すなわち、本体Ｇが新たなカードＩＤを受信すると、本体Ｇは、後述する再処理を行うことなく、その新たな非接触券の処理が開始される（Ｓ１３３）。
【００３２】
さて、上述の所定時間以内に非接触券Ｃの再かざしが行われると、再びデータ授受が行われる。そして、本体Ｇは、非接触券Ｃから得られたデータが本体Ｇのメモリ７に記憶されている処理未了（書込信号の受信無し）に係るデータと一致したとき、すなわち、両カードＩＤが一致したときは（Ｓ１３２肯定）、再かざしの非接触券Ｃと処理未了の非接触券Ｃとは同一物、かつ、書込終了と判定して、一連の入出場処理は終了とされる（Ｓ１３４）。したがって、利用者は改札通路Ｐを通過して入出場することが可能となる。
【００３３】
上述の説明では、処理未了カードを再度受付けた場合、通常の判定，書込を改めて行うことなく終了処理をすることとしたが、図４のフローチャートに示されるように、処理未了に係る情報を記憶する際、該カードの読取データもまた、処理未了に係る情報として記憶し、再度該カード受付の際に読取データの内容を最初の読取データに置換え、通常の判定，書込を行うこともできる（図４のフローチャートの「ａ」の添字のＳ参照）。この場合は、最初の処理が再現されるので、正しい書込データをカードに与えることができ、また、利用額，残額などの案内情報を容易に表示できるなどの利点を有することができる。
【００３４】
さらに、上述の例では、処理未了カードを１枚のみ記憶して処理する場合を示したが、複数券の処理未了カードを扱うことも可能である。この場合は、図５のフローチャートに示されるように、処理未了に係る記憶情報、すなわち、書込終了情報受信の無かったカードのカードＩＤ，書込識別情報，入出場情報を複数セット分、メモリに記憶し、カード受付の都度、これら記憶情報と照合し、一致した場合は、再度の書込をせずに終了処理が行われる。この場合、タイマは処理未了カード毎に持ち、別個に計測される（図５のフローチャートの「ｂ」の添字Ｓ参照）。
【００３５】
図６のフローチャートは、本体Ｇから１件明細データを受信した中央装置（ホストコンピュータ）Ｈの制御動作である。中央装置Ｈは、本体Ｇから１件明細データを受信すると（Ｓ２００肯定）、中央装置Ｈの図示しないメモリに記憶されているそれまでに受信した１件明細データとの間で照合処理が行われる（Ｓ２０２）。この照合処理は、１件明細データに含まれる実行No. が一致するかによって行われ、もし、一致するものがあれば（Ｓ２０４肯定）、２度目に受信された１件明細データは、非接触券Ｃをアンテナａに再かざししたときに生成されたことを意味しているので、予めメモリに記憶されている１件明細データを廃棄し、２度目に受信した１件明細データを保存して、一つの１件明細データのみが保存されるように処理される（Ｓ２０６）。したがって、再かざしが３回以上行われても、一つの１件明細データのみを保存することができる。なお、保存する１件明細データは、最初にメモリに記憶されたものとし、２回目以降の１件明細データを廃棄処理するようにしてもよい。
【００３６】
上述の照合処理において、実行No. の一致しない１件明細データは（Ｓ２０４否定）、再かざしの行われない非接触券Ｃの１件明細データであるので、メモリに保存される（Ｓ２０８）。
【００３７】
なお、上述の例では、非接触券処理装置を非接触式自動改札機としたが、駅売店等に設置される非接触式決済機等の他の非接触券処理装置とすることができる。
【００３８】
【発明の効果】
本発明の請求項１に係る非接触券処理装置は、非接触券処理装置の本体に設けられているアンテナの交信範囲に非接触券がかざされたときに、その非接触券処理装置の本体とその非接触券との間でデータ授受を行うデータ授受手段と、前記非接触券処理装置の本体が前記非接触券から得た金額データに基づいて入出場等に伴う所定の減額処理を行ったときに、その処理に係る１件明細データを作成する作成手段と、作成された１件明細データをカードを管理する中央装置に送出する送出手段と、前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときは減額処理を行わずにその新たなデータ授受に係る非接触券の使用を有効と判定する判定手段と、前記中央装置がカードメモリ内の書込識別情報が同じ１件明細データを複数個受信したときに、その受信したいずれか１の１件明細データを除いて廃棄処理する廃棄手段とからなるので、再かざしで入出場が拒否されたり、あるいは、いわゆる２度引き等を効果的に防止することができるとともに、重複した１件明細の発生を防止することができる。
【００３９】
本発明の請求項２に係る非接触券処理装置は、非接触券処理装置の本体に設けられているアンテナの交信範囲に非接触券がかざされたときに、その非接触券処理装置の本体とその非接触券との間でデータ授受を行うデータ授受手段と、前記非接触券処理装置の本体が前記非接触券から得た金額データに基づいて入出場等に伴う所定の減額処理を行ったときに、その処理に係る１件明細データを作成する作成手段と、作成された１件明細データをカードを管理する中央装置に送出する送出手段と、前記非接触券処理装置の本体が前記非接触券からその非接触券処理装置の本体から送出された所定のデータの書込みを終了した旨の書込終了信号を受信しないときに、新たなデータ授受により得られた非接触券の読取データの内容、カードＩＤ及びカードメモリ内の書込識別情報がその非接触券処理装置の本体に記憶されている内容と一致したときはその非接触券の新たな読取データを前回読取時のデータに置換えたうえ、有効性判定及び減額処理を行う処理手段と、前記中央装置がカードメモリ内の書込識別情報が同じ１件明細データを複数個受信したときに、その受信したいずれか１の１件明細データを除いて廃棄処理する廃棄手段とからなるので、利用額や残額などの案内情報を容易に表示することができるとともに、重複した１件明細の発生を防止することができる。
本発明の請求項３に係る非接触券処理装置は、書込みを終了した旨の書込終了信号を受信しないとき、記憶するカードＩＤ及び書込識別情報を複数個記憶して、複数枚の処理未了券を処理可能としたので、複数の処理未了券を効率よく処理することができる。
【図面の簡単な説明】
【図１】本発明の一実施の形態に係る非接触券処理装置を非接触式自動改札機としたときの斜視図である。
【図２】電気的構成を示すブロック図である。
【図３】制御動作を示すフローチャートである。
【図４】制御動作を示すフローチャートである。
【図５】制御動作を示すフローチャートである。
【図６】制御動作を示すフローチャートである。
【図７】従来の非接触券処理装置の制御動作を示す伝送制御手順である。
【符号の説明】
Ｇ 非接触式自動改札機の本体（本体）
３ スピーカ
４ 表示画面
５ 制御器
ｂ 駅制御装置
Ｔ トランスミッタ
Ｓ 人間検知器
ａ アンテナ
Ｃ 非接触券
Ｌ 通信回線
Ｈ 中央装置（ホストコンピュータ）
【図１】
0003874588.tif 000002
【図２】
0003874588.tif 000003
【図６】
0003874588.tif 000004
【図７】
0003874588.tif 000005
【図３】
0003874588.tif 000006
【図４】
0003874588.tif 000007
【図５】
0003874588.tif 000008